(57)【要約】【目的】釣用クッション具の改良であって、チューブ状のクッション体の両先端に金属製の芯材を差し込んで二重構造にすることでサルカンとクッション体の接続部の強度を向上した釣用クッション具を提供する。【構成】軟質伸縮自性でなるポリウレタンエラストマー材のチューブ状のクッション体１の両先端に金属製の芯材２を差し込んでループ体３にし、そのループ体３には、サルカン４（金属製撚戻し具）を係止した構成である。【選択図】  図１
2005058001.tif 000002
【特許請求の範囲】
【請求項１】
軟質伸縮性でなるポリウレタンエラストマー材のチューブ状のクッション体（１）の両先端に金属製の芯材（２）を差し込んでループ体（３）にし、そのループ体（３）には、サルカン（４）を係止してなることを特徴とする釣用クッション具。
【請求項２】
上記するループ体（３）の端部（３ａ）の夫々のチューブ状の開口孔を密閉でなる閉成体（５）にしたことを特徴とする請求項１記載の釣用クッション具。
【請求項３】
軟質伸縮性でなるポリウレタンエラストマー材のチューブ状のクッション体（１）の両先端の開口孔に金属製のリング体（６）を差し込んで、熱溶着などでクッション体（１）の先端とリング体（６）を一体構成にし、そのリング体（６）には、サルカン（４）を係止してなることを特徴とする釣用クッション具。
【請求項４】
軟質伸縮性でなるポリウレタンエラストマー材のチューブ状のクッション体（１）の両先端の夫々を金属製パイプ体（７）に差し込んでリング体（６’）にし、そのリング体（６’）には、サルカン（４）を係止してなることを特徴とする釣用クッション具。
【発明の詳細な説明】
【０００１】
【発明の属する技術分野】此の発明は、釣竿の先に吊るす道糸と釣針をつけるハリスとを中継するための釣り用クッション具の改良に関する。
【０００２】
【従来の技術】此の種の従来の技術として、一般的に知られる釣用クッション具を図４で示すに、これらの釣用クッション具は、軟質で伸縮性の富んだ引張り強さに強靭な丸状のポリウレタンゴム材クッションゴム１０１で所定の直径と長さに仕上げられこれらの両先端にサルカン４’（金属製撚戻し具）を連結している。
【０００３】これらのクッションゴム１０１とサルカン４’の連結は、サルカン４’のリング状４ａ’にクッションゴム１０１の夫々の先端が差し込まれてループ体３’の閉成状態に先端が熱溶着Ａによって接合して、双方が連結している。
【０００４】そして上記するクッションゴム１０１の片方に連結するサルカン４’のリング状４ａ’は片テンビンなどを介在して道糸と接続されており、他方のサルカン４’のリング状４ａ’は釣針の連結するハリスに接続される。
【０００５】このように、釣竿の先に吊るされるやや太めの道糸は伸縮自在な釣用クッション具を中継して釣針のついた比較的細目のハリスに連なっている。
【０００６】
【発明が解決しようとする課題】しかしながら上記する従来技術の場合は、釣り場で釣った魚を釣り上げる際に、魚の引張り荷重がクッションゴム１０１に負荷されることで、伸び縮みを幾度となく繰り返えされるが、徐々にクッションゴム１０１は弾力を失ってへたって伸縮性が低下し、魚の過剰な動きの反動などの荷重に絶えきれず、クッションゴム１０１が最大限に伸びた状態から突如として切断が起こることで、その跳ね返りが釣り人に危害を与えるという課題がある。
【０００７】このようにクッションゴム１０１の切断は、おおむねサルカン４’のリング状４ａ’の金属とクッションゴム１０１のループ体３’の支点部３ｂ’が力点となり、集中的に荷重が作用し、その支点部３ｂ’に破断を発生するという課題がある。
【０００８】そしてまた、ループ体３’がサルカン４’のリング状４ａ’に差し込まれて熱溶着Ａにて固定される工法が採用されていることで熱によりクッションゴム１０１の材質が劣化するため、弾力を失ってもろくなって接着力不足が接合はがれを誘発するなど課題が残る。
【０００９】そしてまた、クッションゴム１０１の破断強度を高めるのに、クッションゴムの直径を太くすることで強度を向上させて対応しているが、これらの対応は、クッションゴム１０１の伸縮性を悪化させ魚の急激な引き込みやアタリ合わせの魚の針かかりが中途半端に採用することで、魚を途中で逃がしてしまうという課題がある。
【００１０】このようにクッションの直径を太くすることで、クッション性が低下するだけでなく、クッションゴム１０１自体の全重量が重くなることで海中でのハリスの針につけた餌の動きが鈍くなり海中での餌のふわふわした遊びのない不自然な動きが魚に警戒心を与えるという課題がある。
【００１１】
【課題を解決するための手段】この発明は上記する欠点ともなるを課題を解決するために図１で述べるように、チューブ状のポリウレタンエラストマー材のクッション体１の両先端の夫々の孔に金属製の芯材２を差し込んでループ体３を設けてそのループ体３の部分は、芯材２とポリウレタンエラストマー材のクッション体１との二重構造で構成し、そのループ体３の中空部にサルカン４の金属製のリング状４ａが連結されてクッション体１の夫々の端子が構成している。
【００１２】更に図１において、前記するチューブ状のクッション体１の端部３ａの開口孔からチューブ状の中空部に海中間で海水が浸入しないように開成体５に封印した第２の実施を第１の実施例と併せて図示している。
【００１３】次に第３の実施例として図２で示すに、クッション体１の両先端の開口孔に金属製のリング体６を差し込んでクッション体１と一体的に構成したもので、そのリング体６の空間には、双方にサルカン４のリング状４ａが係止している。
【００１４】また、第４の実施例を図３で示すに、金属製パイプ体７にクッション体１の両先端の夫々を差し込んでリング体６’にしている。
【００１５】
【発明の実施の形態】以下図示の実施例に基づいて本発明を更に詳しく説明するに、図１は本発明に係わる第１実施例を示すもので、軟質伸縮性でなるポリウレタンエラストマー材を押し出し加工にて中空体のチューブ状のクッション体１であって、これらの材質は適度な伸び率、引張り強度、十分な反発弾性等を備えていることで選定されるが、何らこれらの材質は限定されるものでなく従来の天然ゴム或いはシリコンゴム、ウレタンゴム等の合成ゴムでチューブ状のクッション体１であってもよい。。
【００１６】このようにチューブ体で開口孔の貫通する細長いクッション体１の両先端の開口孔に夫々金属製の芯材２を差し込んで、この芯材２を巻装する二重構造の先端は、ループ体３にし、このループ体３にはサルカン４に設けた金属製のリング状４ａが係止し、このループ体３の端部３ａは開かないように溶着さされる。
【００１７】このようにサルカン４に設けた金属製のリング状４ａに通して折り返しによって重なることで構成するループ体３は、今夫々のサルカン４のリング状４ａに矢印ａ方向に引張り力が作用する時、このループ体３は二重構造で、芯材２が中軸に差し込まれているため充分な強度が保持されることで、クッション体１の十分な反発弾性が発揮し従来のようなループ体３とリング状４ａとの相互の引張り合う支点部３ｂでの破損が防止される。
【００１８】次に第２実施例において、上記する第１実施例での図１で再度示すに、ループ体３の端部３ａの夫々のチューブ状の開口孔を熱溶着などで封印して閉成体５にすることで、チューブ状の中空体の内部に海水が浸入することを防止することで、極めて太いチューブ状の全体重量を海中では、エアーバッグ的な浮力を働かすことでハリスにつける餌の動きを生き物のように自然に海中の流れに同期させることで魚を脅かすことのない集魚効果を得ることの出来る構成である。
【００１９】次に、第３実施例を図２で示すに、サルカン４に設けた金属製のリング状４ａを通した金属製丸棒でなるクリップ状のリング体６のこのリング体６の首下をクッション体１の両先端に夫々差し込んで固着したもので、サルカン４の金属製のリング状４ａはクッション体１に一体構成する両先端の金属製のリング体６とが金属同志の支点部３ｂの構成である。
【００２０】次に第４実施例を図３で示すに、軟質伸縮性でなるポリウレタンエラストマー材のチューブ状のクッション体１は上記するクッション体１と全く同質でこのクッション体１の両先端の夫々をステンレス製やアルミ製などの金属製パイプ体７に差し込んで二重構造にして、リング体６’に構成し、端部３ａ’は折り重ねて閉成体のリング体６’で、そのリング体６’にはサルカン４に設けたリング状４ａが係止して構成することで、相互の引張り合う力点となる支点部３ｂは金属製同志でせりあう構成である。
【００２１】
【発明の効果】本発明は上述の通り構成、作用するので次の優れた効果を奏する。即ち図１の第１実施例で述べるように、クッション体の両先端は芯材が入った二重構造での強体でサルカンのリング状と芯材の入ったクッション体のループ体とが結合し合って力点に作用するという引張り強度の向上した破損しにくい釣用クッション具を提供出来る。
【００２２】次に第２実施例では、比較的太く長いクッション体を採用する場合での釣の仕掛けでは、クッション体自体がチューブ状の中空体のためそのクッション体の両先端の開口孔を封印することで、空気が封入されたクッション体の構成が、海中では空気の浮力が動くことで海中で緩やかに浮きながらハリスの餌の動きを自然体に具現出来る釣り用クッション具を提供出来る。
【００２３】そしてまた、第３、第４の実施例では、図２．３で示すように、サルカンのリング状と結合するクッション体の両先端の夫々は、金属製からなるリング体で双方の金属同志での伸縮性のない引張力に強いため、ビッグな魚の急激な突っ込みや引き込みのショックに強靭で且つ潮切りのよい釣り用クッション具を提供出来る。
【図面の簡単な説明】
【図１】本発明に係わる第１・第２実施例での一部断面図での全体斜視図である。
【図２】本発明に係わる第３実施例での一部断面図での要部斜視図である。
【図３】本発明に係わる第４実施例での一部断面での要部斜視図である。
【図４】従来例での全体斜視図である。
【符号の説明】
１．      クッション体
２．      芯材
３．３’．      ループ体
３ａ．３ａ’．  端部
３ｂ．３ｂ’．  支点部
４．４’．      サルカン
４ａ．４ａ’．  リング状
５．      閉成体
６．６’  リング体
７．      金属製パイプ体
１０１．  クッションゴム
Ａ．      熱溶着
【図１】
2005058001.tif 000003
【図２】
2005058001.tif 000004
【図３】
2005058001.tif 000005
【図４】
2005058001.tif 000006